(57)【特許請求の範囲】
【請求項１】
版胴に回動可能に設けられ、一方側へ回動することにより版をクランプし、他方側へ回動することにより当該版をアンクランプするクランプ機構と、
前記クランプ機構に連結され、当該クランプ機構を回動させるレバー部材と、
回動可能に支持され、一方側へ回動することにより、前記版胴の一方向への回転によって前記レバー部材に当接すると共に当該版胴の一方向へのさらなる回転によって当該レバー部材を回動させ、他方側へ回動することにより、当該レバー部材から離反する操作部材と、
前記操作部材に連結され、当該操作部材を回動させると共に、当該操作部材が前記一方側への回動を制止されているときに、前記版胴の他方向への回転による当該操作部材の他方側への回動を許容する操作部材回動手段と
を備えてなることを特徴とする版交換装置。
【請求項２】
請求項１に記載の版交換装置において、
前記操作部材の前記レバー部材への当接位置において当該操作部材の一方側への回動を制止させる位置規定部材を備えている
ことを特徴とする版交換装置。
【請求項３】
請求項１に記載の版交換装置において、
前記操作部材回動手段が、前記操作部材の前記レバー部材への当接位置に当該操作部材を位置付けているときに、前記版胴の他方向への回転による当該レバー部材の他方側への移動に伴う当該操作部材の他方側への回動を許容するものである
ことを特徴とする版交換装置。
【請求項４】
請求項３に記載の版交換装置において、
前記操作部材回動手段が、前記操作部材の前記レバー部材への当接位置で当該操作部材を一方側へ回動させる方向へ付勢するにあたって、前記版胴の他方向への回転による前記レバー部材の他方側への移動に伴う前記操作部材の他方側への回動を、エアの弾性力で許容しながら当該操作部材を付勢するエアシリンダである
ことを特徴とする版交換装置。
【請求項５】
請求項１に記載の版交換装置において、
前記版胴の一方向への回転により、前記操作部材を一方側へ回動させる方向から前記レバー部材が当該操作部材に当接し、
前記版胴の他方向への回転により、前記操作部材を他方側へ回動させる方向から前記レバー部材が当該操作部材に当接するものである
ことを特徴とする版交換装置。
【請求項６】
請求項１に記載の版交換装置において、
前記レバー部材が、前記クランプ機構に対をなして連結されたものであり、
前記操作部材及び前記操作部材回動手段が、対をなす前記レバー部材にそれぞれ対応するように対をなして設けられたものであり、
一方の前記レバー部材に対応する一方の前記操作部材が一方の当該レバー部材に当接する当接位置に位置して、前記版胴が逆転したときに、一方の当該レバー部材が、一方の当該操作部材と当接して一方側へ回動し、前記版胴が正転したときに、一方の当該操作部材に対応する一方の前記操作部材回動手段が、一方の当該レバー部材による一方の当該操作部材の他方側への回動を許容すると共に、
他方の前記レバー部材に対応する他方の前記操作部材が他方の当該レバー部材に当接する当接位置に位置して、前記版胴が正転したときに、他方の当該レバー部材が、他方の当該操作部材と当接して一方側へ回動し、前記版胴が逆転したときに、他方の当該操作部材に対応する他方の前記操作部材回動手段が、他方の当該レバー部材による他方の当該操作部材の他方側への回動を許容するものである
ことを特徴とする版交換装置。
【請求項７】
版胴に回動可能に設けられ、一方側へ回動することにより版をクランプし、他方側へ回動することにより当該版をアンクランプするクランプ機構と、
前記クランプ機構に連結され、当該クランプ機構を回動させるレバー部材と、
前記レバー部材に当接する当接位置と前記レバー部材から離反する位置との間で回動可能に支持された操作部材と、
前記操作部材の前記レバー部材への当接位置において当該操作部材の一方側への回動を制止させる位置規定部材と
を備え、
前記操作部材が前記当接位置に位置して前記版胴が一方向へ回転したときに、前記操作部材を一方側へ回動させる方向から前記レバー部材が当該操作部材に当接して当該レバー部材を一方側へ回動させ、
前記操作部材が前記当接位置に位置して前記版胴が他方向へ回転したときに、前記操作部材を他方側へ回動させる方向から前記レバー部材が当該操作部材に当接して当該操作部材を他方側へ回動させる
ことを特徴とする版交換装置。
【請求項８】
請求項１又は請求項７に記載の版交換装置において、
前記操作部材が、カムレバーであり、
前記レバー部材が、前記版胴の一方向への回転により前記カムレバーの先端に沿って当接するローラを備えている
ことを特徴とする版交換装置。
【発明の詳細な説明】
【０００１】
【発明の属する技術分野】
本発明は、印刷機の版胴の版を交換する版交換装置に関する。
【０００２】
【従来の技術】
版胴を回転させながら当該版胴のクランプ機構を開閉させることにより版を交換する従来の版交換装置においては、誤動作等に伴う印刷機の損傷を防止するため、版胴の回転方向とクランプ機構の開閉動作とのインターロックを図る必要があった。
【０００３】
【発明が解決しようとする課題】
このため、シーケンスやシステム等が複雑となってしまい、故障を生じた際、修理に非常に手間がかかってしまっていた。
【０００４】
【課題を解決するための手段】
前述した課題を解決するための、本発明による版交換装置は、版胴に回動可能に設けられ、一方側へ回動することにより版をクランプし、他方側へ回動することにより当該版をアンクランプするクランプ機構と、前記クランプ機構に連結され、当該クランプ機構を回動させるレバー部材と、回動可能に支持され、一方側へ回動することにより、前記版胴の一方向への回転によって前記レバー部材に当接すると共に当該版胴の一方向へのさらなる回転によって当該レバー部材を回動させ、他方側へ回動することにより、当該レバー部材から離反する操作部材と、前記操作部材に連結され、当該操作部材を回動させると共に、当該操作部材が前記一方側への回動を制止されているときに、前記版胴の他方向への回転による当該操作部材の他方側への回動を許容する操作部材回動手段とを備えてなることを特徴とする。
また、本発明による版交換装置は、上述した版交換装置において、前記操作部材の前記レバー部材への当接位置において当該操作部材の一方側への回動を制止させる位置規定部材を備えていることを特徴とする。
また、本発明による版交換装置は、上述した版交換装置において、前記操作部材回動手段が、前記操作部材の前記レバー部材への当接位置に当該操作部材を位置付けているときに、前記版胴の他方向への回転による当該レバー部材の他方側への移動に伴う当該操作部材の他方側への回動を許容するものであることを特徴とする。
また、本発明による版交換装置は、上述した版交換装置において、前記操作部材回動手段が、前記操作部材の前記レバー部材への当接位置で当該操作部材を一方側へ回動させる方向へ付勢するにあたって、前記版胴の他方向への回転による前記レバー部材の他方側への移動に伴う前記操作部材の他方側への回動を、エアの弾性力で許容しながら当該操作部材を付勢するエアシリンダであることを特徴とする。
また、本発明による版交換装置は、上述した版交換装置において、前記版胴の一方向への回転により、前記操作部材を一方側へ回動させる方向から前記レバー部材が当該操作部材に当接し、前記版胴の他方向への回転により、前記操作部材を他方側へ回動させる方向から前記レバー部材が当該操作部材に当接するものであることを特徴とする。
また、本発明による版交換装置は、上述した版交換装置において、前記レバー部材が、前記クランプ機構に対をなして連結されたものであり、前記操作部材及び前記操作部材回動手段が、対をなす前記レバー部材にそれぞれ対応するように対をなして設けられたものであり、一方の前記レバー部材に対応する一方の前記操作部材が一方の当該レバー部材に当接する当接位置に位置して、前記版胴が逆転したときに、一方の当該レバー部材が、一方の当該操作部材と当接して一方側へ回動し、前記版胴が正転したときに、一方の当該操作部材に対応する一方の前記操作部材回動手段が、一方の当該レバー部材による一方の当該操作部材の他方側への回動を許容すると共に、他方の前記レバー部材に対応する他方の前記操作部材が他方の当該レバー部材に当接する当接位置に位置して、前記版胴が正転したときに、他方の当該レバー部材が、他方の当該操作部材と当接して一方側へ回動し、前記版胴が逆転したときに、他方の当該操作部材に対応する他方の前記操作部材回動手段が、他方の当該レバー部材による他方の当該操作部材の他方側への回動を許容するものであることを特徴とする。
また、本発明による版交換装置は、版胴に回動可能に設けられ、一方側へ回動することにより版をクランプし、他方側へ回動することにより当該版をアンクランプするクランプ機構と、前記クランプ機構に連結され、当該クランプ機構を回動させるレバー部材と、
前記レバー部材に当接する当接位置と前記レバー部材から離反する位置との間で回動可能に支持された操作部材と、前記操作部材の前記レバー部材への当接位置において当該操作部材の一方側への回動を制止させる位置規定部材とを備え、前記操作部材が前記当接位置に位置して前記版胴が一方向へ回転したときに、前記操作部材を一方側へ回動させる方向から前記レバー部材が当該操作部材に当接して当該レバー部材を一方側へ回動させ、前記操作部材が前記当接位置に位置して前記版胴が他方向へ回転したときに、前記操作部材を他方側へ回動させる方向から前記レバー部材が当該操作部材に当接して当該操作部材を他方側へ回動させることを特徴とする。
また、本発明による版交換装置は、上述した版交換装置において、前記操作部材が、カムレバーであり、前記レバー部材が、前記版胴の一方向への回転により前記カムレバーの先端に沿って当接するローラを備えていることを特徴とする。
【０００５】
【発明の実施の形態】
本発明による版交換装置を両面印刷機に適用した場合の実施の形態を図１〜１０を用いて説明する。なお、図１は、その操作側のフレーム側要部部材の概略構成図、図２は、操作側の版胴側要部部材の概略構成図、図３は、図２の展開図、図４は、版胴のクランプ機構の要部部材の概略構成図、図５は、図１の展開図、図６は、原動側のフレーム側要部部材の概略構成図、図７は、原動側の版胴側要部部材の概略構成図、図８は、図６の展開図、図９は、図２の作用説明図、図１０は、図７の作用説明図である。
【０００６】
図１に示すように、版を取り付けられる版胴１１１には、ゴム胴１１２が対接している。ゴム胴１１２には、ゴム胴１２２が対接している。ゴム胴１２２には、版を取り付けられる版胴１２１が対接している。
【０００７】
つまり、版胴１１１，１２１の版に図示しないインキ供給装置からインキをそれぞれ供給すると、版の絵柄に対応したインキがゴム胴１１２，１２２にそれぞれ転写され、ゴム胴１１２，１２２間にウエブ等を送給することにより、当該ウエブ等の両面に絵柄を印刷することができるようになっているのである。
【０００８】
図１に示すように、版胴１１１，１２１には、押圧ローラ１１３，１２３がそれぞれ対接しており、当該押圧ローラ１１３，１２３は、版胴１１１，１２１に対して接近離反できるように支持されている。
【０００９】
図３，４に示すように、版胴１１１の外周面には、ギャップ１１１ａが軸心方向に沿って形成されている。版胴１１１のギャップ１１１ａ内には、巻きバー１１が当該版胴１１１の軸心方向に沿って長手方向を向けて回動可能に支持されており、当該巻きバー１１は、その軸端が版胴１１１の端部から突出している。巻きバー１１には、略Ｕ字型に曲折された板ばね１２が軸心方向に沿って複数装着されている。
【００１０】
つまり、巻きバー１１を一方側に回動させると（図４中、反時計回り）、板ばね１２が版のくわえ端およびくわえ尻に係合して当該版をクランプし、巻きバー１１を他方側に回動させると（図４中、時計回り）、板ばね１２が版のくわえ端およびくわえ尻から外れて当該版がアンクランプされるのである。
【００１１】
図２，３に示すように、版胴１１１の操作側端部には、環状をなすベアラ１３が同軸をなして取り付けられており、前記巻きバー１１の軸端が当該ベアラ１３から突出している。ベアラ１３から突出する巻きバー１１の軸端には、レバー１４の中程が貫通固定されており、当該レバー１４を回動させることにより、巻きバー１１を回動させることができるようになっている。
【００１２】
前記レバー１４の、版胴１１１の版の送り出し方向、すなわち、版胴１１１の逆転方向の先端側には、ローラ１５が設けられている。レバー１４の、版胴１１１の版の巻き取り方向、すなわち、版胴１１１の正転方向の先端側には、圧縮コイルばね１６ａにより軸心方向へ付勢する付勢装置１６の一端が回動可能に連結されている。付勢装置１６の他端は、ベアラ１３に取り付けられた受具１７に揺動可能に支持されている。
【００１３】
また、図１，５に示すように、版胴１１１の操作側端部の近傍には、カムレバー１８の中程が回動可能に支持されており、当該カムレバー１８は、上記版胴１１１の一方向（正転方向）への回転と共に一方側へ回動することにより、その先端が前記ローラ１５に当接して前記レバー１４を回動させることができ、他方側へ回動することにより、その先端が前記ローラ１５から離反するようになっている。
【００１４】
前記カムレバー１８の基端には、フレームに固定支持されたエアシリンダ１９のロッド１９ａの先端が進退可能に連結されている。カムレバー１８の近傍位置には、カムレバー１８の一方側への回動を規制するストッパ１０が設けられており、当該ストッパ１０は、レバー１４の先端がローラ１５に当接してレバー１４を回動させる位置で当該カムレバー１８の一方側への回動を規制するようになっている。
【００１５】
一方、図７に示すように、版胴１１１の原動側端部には、ベアラ２３が同軸をなして取り付けられており、前記巻きバー１１の軸端が当該ベアラ２３から突出している。ベアラ２３から突出する巻きバー１１の軸端には、前記レバー１４と同様なレバー２４の中程が貫通固定されている。
【００１６】
前記レバー２４の、版胴１１１の版の巻き取り方向、すなわち、版胴１１１の正転方向の先端側には、ローラ２５が設けらると共に、前記付勢装置１６と同様な付勢装置２６の一端が回動可能に連結されている。この付勢装置２６の他端は、ベアラ２３に取り付けられた受具２７に揺動可能に支持されている。レバー２４の、版胴１１１の版の送り出し方向、すなわち、版胴１１１の逆転方向の先端側の、ベアラ２３部分には、当該レバー２４の逆転方向への回動を規制するショックアブソーバ３０が設けられている。
【００１７】
また、図６，８に示すように、版胴１１１の原動側端部の近傍には、前記カムレバー１８と同様なカムレバー２８の中程が回動可能に支持されており、当該カムレバー２８は、上記版胴１１１の一方向（逆転方向）への回転と共に一方側へ回動することにより、その先端が前記ローラ２５に当接して前記レバー２４を回動させることができ、他方側へ回動することにより、その先端が前記ローラ２５から離反するようになっている。
【００１８】
前記カムレバー２８の基端には、フレームに固定支持されたエアシリンダ２９のロッド２９ａの先端が進退可能に連結されている。カムレバー２８の近傍位置には、前記ストッパ１０と同様なストッパ２０が設けられており、当該ストッパ２０は、レバー２４の先端がローラ２５に当接してレバー２４を回動させる位置で当該カムレバー２８の一方側への回動を規制することができるようになっている。
【００１９】
一方、図１に示すように、版胴１２１には、前記版胴１１１と同様にして、板ばね１２を備えた巻きバー１１が設けられている。
【００２０】
また、版胴１２１の操作側端部には、前記版胴１１１の操作側端部と同様にして、ベアラ１３、レバー１４、ローラ１５、付勢装置１６、受具１７が設けられている。
【００２１】
また、図１に示すように、版胴１２１の操作側端部の近傍には、前記版胴１１１の操作側端部の近傍と同様にして、ストッパ１０、カムレバー１８、エアシリンダ１９が設けられている。
【００２２】
一方、版胴１２１の原動側端部には、前記版胴１１１の原動側端部と同様にして、ベアラ２３、レバー２４、ローラ２５、付勢装置２６、受具２７、ショックアブソーバ３０が設けられている。
【００２３】
また、図６に示すように、版胴１２１の原動側端部の近傍には、前記版胴１１１の原動側端部と同様にして、ストッパ２０、カムレバー２８、エアシリンダ２９が設けられている。
【００２４】
なお、本実施の形態では、巻きバー１１、板ばね１２などによりクランプ機構を構成し、レバー１４，２４、ローラ１５，２５などによりレバー部材を構成し、付勢装置１６，２６、受具１７，２７などにより回動方向規定手段を構成し、カムレバー１８，２８などにより操作部材を構成し、エアシリンダ１９，２９などにより操作部材回動手段を構成し、ストッパ１０，２０などにより位置規定部材を構成している。
【００２５】
このような版交換装置の作用を次に説明する。
操作側のエアシリンダ１９を作動して、カムレバー１８の先端を操作側のローラ１５から離反させるように当該カムレバー１８を前記他方側へ回動させる一方、版胴１１１，１２１を逆転すると共に、原動側のエアシリンダ２９を作動し、カムレバー２８をストッパ２０で規制されるまで前記一方側へ回動させて、当該カムレバー２８の先端を原動側のローラ２５に当接させると（図６参照）、当該ローラ２５が版胴１１１，１２１の径方向内側に押し込まれ（図９の矢線▲１▼〜▲３▼へのステップ）、原動側のレバー２４が回動して巻きバー１１が前記他方側へ回動し、板ばね１２による版のクランプが解除されて、版胴１１１，１２１の版を交換することができる。この巻きバー１１の当該他方側への回動に伴って、操作側のレバー１４が回動し、操作側のローラ１５が版胴１１１，１２１の径方向外側に移動する（図１０の矢線▲１▼〜▲３▼へのステップ）。
【００２６】
このとき、原動側のローラ２５を前記径方向内側に移動させるように原動側の付勢装置２６がレバー２４を付勢すると共に（図９（ｄ）参照）、操作側のローラ１５を前記径方向外側に移動させるように操作側の付勢装置１６がレバー１４を付勢しているので（図１０（ｄ）参照）、板ばね１２は、上記状態、すなわち、アンクランプ状態で保持される。
【００２７】
また、原動側のエアシリンダ２９を作動して、カムレバー２８の先端を原動側のローラ２５から離反させるように当該カムレバー２８を前記他方側へ回動させる一方、版胴１１１，１２１を正転すると共に、操作側のエアシリンダ１９を作動し、カムレバー１８をストッパ１０で規制されるまで前記一方側へ回動させて、当該カムレバー１８の先端を操作側のローラ１５に当接させると（図１参照）、当該ローラ１５が版胴１１１，１２１の径方向内側に押し込まれて（図１０の矢線▲４▼〜▲６▼へのステップ）、操作側のレバー１４が回動して巻きバー１１が前記一方側へ回動し、板ばね１２により版がクランプされて、版胴１１１，１２１に版を取り付けることができる。この巻きバー１１の当該一方側への回動に伴って、原動側のレバー２４が回動し、原動側のローラ２５が版胴１１１，１２１の径方向外側に移動する（図９の矢線▲４▼〜▲６▼へのステップ）。
【００２８】
このとき、操作側のローラ１５を前記径方向内側に移動させるように操作側の付勢装置１６がレバー１４を付勢すると共に（図１０（ａ）参照）、原動側のローラ２５を前記径方向外側に移動させるように原動側の付勢装置２６がレバー２４を付勢しているので（図９（ａ）参照）、板ばね１２は、上記状態、すなわち、クランプ状態で保持される。
【００２９】
このように版胴１１１，１２１を回転させながらクランプ機構を開閉させている際、例えば、版胴１１１，１２１を逆転して板ばね１２をアンクランプ状態に保持している際に、版胴１１１，１２１が誤って正転すると、原動側のエアシリンダ２９内のエアのわずかながらもの弾性力により原動側のカムレバー２８が原動側のローラ２５で押し戻される、すなわち、カムレバー２８が前記一方側への回動をストッパ２０で制止されているときにエアシリンダ２９がカムレバー２８の前記他方側への回動を許容すると共に、操作側のカムレバー１８が操作側のローラ１５から離れているので、版胴１１１，１２１が正転するのにローラ１５，２５とカムレバー１８，２８との間で何ら支障がなく、印刷機の損傷を防止することができる。
【００３０】
また、例えば、版胴１１１，１２１を正転して板ばね１２をクランプ状態に保持している際に、版胴１１１，１２１が誤って逆転すると、操作側のエアシリンダ１９内のエアのわずかながらもの弾性力により操作側のカムレバー１８が操作側のローラ１５で押し戻される、すなわち、カムレバー１８が前記一方側への回動をストッパ１０で制止されているときにカムレバー１８の前記他方側への回動を許容すると共に、原動側のカムレバー２８が原動側のローラ２５から離れているので、版胴１１１，１２１が逆転するのにローラ１５，２５とカムレバー１８，２８との間で何ら支障がなく、印刷機の損傷を防止することができる。
【００３１】
したがって、このような版交換装置によれば、版胴１１１，１２１の回転方向とクランプ機構の開閉動作とのインターロックを図らなくても、誤動作等に伴う印刷機の損傷を防止することができるので、シーケンスやシステム等を簡素化することができ、故障の発生頻度を少なくすることができる。
【００３２】
なお、本実施の形態では、操作部材回動手段としてエアシリンダ１９，２９などを用いたが、例えば、エアシリンダ１９，２０を省いて、カムレバー１８，１９を手動で回動できるようにし、カムレバー１８，１９を前記一方側へ回動させた際に、版胴１１１，１２１が前記他方向へ回転したら、カムレバー１８，１９が前記他方側へ回動して逃げられるようにしてもよい。
【００３３】
【発明の効果】
本発明による版交換装置では、版胴を回転させながらクランプ機構を開閉させている際に、版胴が誤って逆方向に回転してしまって、操作部材とレバー部材とが衝突しても、操作部材回動手段が操作部材の他方側への回動を許容しているので、操作部材とレバー部材との間に支障を生じることがない。このため、版胴の回転方向とクランプ機構の開閉動作とのインターロックを図らなくても、誤動作等に伴う印刷機の損傷を防止することができるので、シーケンスやシステム等を簡素化することができ、故障の発生頻度を少なくすることができる。
【図面の簡単な説明】
【図１】本発明による版交換装置を両面印刷機に適用した場合の実施の形態の操作側のフレーム側要部部材の概略構成図である。
【図２】本発明による版交換装置を両面印刷機に適用した場合の実施の形態の操作側の版胴側要部部材の概略構成図である。
【図３】図２の展開図である。
【図４】本発明による版交換装置を両面印刷機に適用した場合の実施の形態の版胴のクランプ機構の要部部材の概略構成図である。
【図５】図１の展開図である。
【図６】本発明による版交換装置を両面印刷機に適用した場合の実施の形態の原動側のフレーム側要部部材の概略構成図である。
【図７】本発明による版交換装置を両面印刷機に適用した場合の実施の形態の原動側の版胴側要部部材の概略構成図である。
【図８】図６の展開図である。
【図９】図２の作用説明図である。
【図１０】図７の作用説明図である。
【符号の説明】
１０，２０  ストッパ
１１  巻きバー
１２  板ばね
１３，２３  ベアラ
１４，２４  レバー
１５，２５  ローラ
１６，２６  付勢装置
１６ａ，２６ｂ  圧縮コイルばね
１７，２７  受具
１８，２８  カムレバー
１９，２９  エアシリンダ
１９ａ，２９ａ  ロッド
３０  ショックアブソーバ
１１１，１２１  版胴
１１１ａ，１２１ａ  ギャップ
１１２，１２２  ゴム胴
１１３，１２３  押圧ローラ
【図１】
0004127734.tif 000002
【図２】
0004127734.tif 000003
【図３】
0004127734.tif 000004
【図４】
0004127734.tif 000005
【図５】
0004127734.tif 000006
【図６】
0004127734.tif 000007
【図７】
0004127734.tif 000008
【図８】
0004127734.tif 000009
【図９】
0004127734.tif 000010
【図１０】
0004127734.tif 000011